(57)【要約】ＨｅｔＮｅｔと、関連付けられるカバーエリアを伴うサービングセルと、カバーエリア内のセルの１つまたは複数のクラスタ内に展開される複数の付加的な低電力ノード（ＬＰＮ）とを含む無線通信システムおよび方法が、提供される。ＬＰＮは、関連付けられるスモールセルのタイミングに基づいて、関連付けられるディスカバリ信号を伝送する。サービングセルは、セルのタイミング、したがって、ディスカバリ信号の伝送パターンを決定するように構成され、サービングセルは、ディスカバリ信号が測定ギャップ中に伝送されるように、測定ギャップを構成する。ネットワークは、適宜、測定ギャップを置き、および／またはディスカバリ信号（ＤＳ）伝送スキームを調節することによって、種々の程度の粒度およびタイミング測定不正確度にわたってこれを遂行するように適合される。【特許請求の範囲】
【請求項１】
無線通信のための方法であって、前記方法は、
セルが、ディスカバリ信号を伝送することであって、前記セルは、サービングセルのカバーエリア内に展開されるセルのクラスタ内に展開される、ことと、
前記サービングセルが、前記セルのタイミング情報および前記セルの前記ディスカバリ信号のディスカバリ信号伝送パターンを決定することと、
前記サービングセルが、ユーザ機器（ＵＥ）が測定ギャップ内の前記ディスカバリ信号を読み取ることができるように、前記ディスカバリ信号伝送パターンをマッチさせるように前記測定ギャップを構成することと
を含む、方法。
【請求項２】
前記ディスカバリ信号伝送パターンをマッチさせるように前記測定ギャップを構成することは、前記ディスカバリ信号が前記測定ギャップ中に伝送されるように前記測定ギャップを構成することを含む、請求項１に記載の方法。
【請求項３】
前記ＵＥが、前記測定ギャップ中および前記構成することの後に、前記ディスカバリ信号を検出することをさらに含む、請求項１に記載の方法。
【請求項４】
前記ＵＥは、前記サービングセルと通信し、前記カバーエリア内に展開される、請求項１に記載の方法。
【請求項５】
前記セルのクラスタの前記セルは、それぞれ、低電力ノード（ＬＰＮ）を含む、請求項１に記載の方法。
【請求項６】
前記サービングセルがタイミング情報を決定することは、前記サービングセルが前記セルのいくつかのタイミング情報を有することを含み、前記サービングセルが測定ギャップを構成することは、前記サービングセルがタイミング情報不正確度を考慮して、前記測定ギャップを構成することを含む、請求項５に記載の方法。
【請求項７】
前記ＵＥが、初期周波数間測定ギャップにおいて従来のセル検索を実施し、前記セルの前記タイミング情報を前記サービングセルに提供することをさらに含み、前記サービングセルが測定ギャップを構成することは、前記サービングセルが前記初期周波数間測定ギャップを再位置付けすることを含む、請求項１に記載の方法。
【請求項８】
前記セルがディスカバリ信号を伝送することは、前記セルが異なる時間において前記ディスカバリ信号の異なる部分を伝送することを含む、請求項１に記載の方法。
【請求項９】
前記ディスカバリ信号の前記部分は、前記ディスカバリ信号の完全なディスカバリ信号の伝送前後に伝送される、請求項８に記載の方法。
【請求項１０】
前記クラスタのさらなるセルが、それぞれ、対応するさらなるディスカバリ信号を伝送することと、
前記サービングセルが、前記さらなるセルの前記対応するさらなるディスカバリ信号の対応するタイミングおよび伝送パターンを決定することと、
前記サービングセルが、前記さらなるディスカバリ信号が前記さらなる測定ギャップ中に伝送されるように、前記さらなるディスカバリ信号をマッチさせるようにさらなる測定ギャップを構成することと
をさらに含む、請求項１に記載の方法。
【請求項１１】
前記サービングセルは、ディスカバリ信号伝送が前記測定ギャップの中間で起こるように前記測定ギャップを構成する、請求項１に記載の方法。
【請求項１２】
前記サービングセルは、ディスカバリ信号伝送がΔ１の粒度係数だけ前記測定ギャップのちょうど中心から変位されるように前記測定ギャップを構成する、請求項１に記載の方法。
【請求項１３】
前記サービングセルが測定ギャップを構成することは、粒度、タイミング情報不正確度、前記ディスカバリ信号の持続時間、および前記測定ギャップの持続時間に基づいて、前記サービングセルが測定ギャップを構成することを含む、請求項１に記載の方法。
【請求項１４】
前記タイミング情報不正確度は、前記ＵＥによって送信される報告に基づいて、前記サービングセルによって検出される、請求項１３に記載の方法。
【請求項１５】
前記ディスカバリ信号は、
【化１８】
2019504513.tif 000019
であるとき、前記ディスカバリ信号のうちの複数の隣接するコピーのディスカバリ信号を含み、式中、Δ１は、粒度であり、Δ２は、タイミング情報不正確度であり、Ｔは、前記ディスカバリ信号の持続時間であり、Ｔｇａｐは、前記測定ギャップの持続時間である、請求項１に記載の方法。
【請求項１６】
前記粒度および前記タイミング情報不正確度に基づいて、１つの前記コピーが前記測定ギャップ内に伝送されるために必要な前記コピーの隣接するものの数を決定することをさらに含み、前記セルは、前記数の隣接するディスカバリ信号を伝送する、請求項１５に記載の方法。
【請求項１７】
前記隣接するディスカバリ信号の数は、前記タイミング情報不正確度Δ２が増加するにつれて増加する、請求項１６に記載の方法。
【請求項１８】
前記セルがディスカバリ信号を伝送することは、前記セルが前記ディスカバリ信号の２つの離間されたコピーを伝送することを含み、前記サービングセルが測定ギャップを構成することは、前記サービングセルが前記ディスカバリ信号の前記２つの離間されたコピー間の前記測定ギャップの中心を標的とすることを含む、請求項１に記載の方法。
【請求項１９】
前記カバーエリア内に展開されるセルのさらなるクラスタのさらなるセルが、さらなるディスカバリ信号を伝送することと、
前記サービングセルが、前記セルおよび前記さらなるセルのどちらが前記ＵＥにより近接したセルであるかを決定することと
をさらに含み、前記サービングセルが測定ギャップを構成することは、前記より近接したセルと関連付けられる前記ディスカバリ信号または前記さらなるディスカバリ信号が、第１の測定ギャップ中に伝送されるように、前記サービングセルが前記第１の測定ギャップを構成することを含む、請求項１に記載の方法。
【請求項２０】
前記サービングセルが前記セルおよび前記さらなるセルのどちらが前記ＵＥにより近接したセルであるかを決定することは、前記ＵＥが前記サービングセルに前記セルおよび前記さらなるセルの物理セルＩＤ（ＰＣＩ）を報告することを含む、請求項１９に記載の方法。
【請求項２１】
前記セルがディスカバリ信号を伝送することは、前記セルが前記ディスカバリ信号の複数の連続コピーを伝送することを含み、前記サービングセルが測定ギャップを構成することは、少なくとも１つのコピーが前記測定ギャップとともに完全に受信されるように、前記サービングセルが少なくとも１つの前記測定ギャップを構成することを含む、請求項１に記載の方法。
【請求項２２】
前記連続ディスカバリ信号は、隣接するディスカバリ信号である、請求項２１に記載の方法。
【請求項２３】
前記連続ディスカバリ信号は、離間される、請求項２１に記載の方法。
【請求項２４】
前記サービングセルは、粒度、タイミング情報誤差、および前記ディスカバリ信号の持続時間に基づいて前記測定ギャップを構成する、請求項２１に記載の方法。
【請求項２５】
前記サービングセルが前記タイミング情報を決定することは、
前記ＵＥが、初期周波数間測定ギャップにおいて前記セルの従来のセル検索を実施し、前記セルを測定することと、
前記ＵＥが、マスタ情報ブロック（ＭＩＢ）をデコードし、前記測定されたセルのシステムフレーム番号（ＳＦＮ）を得て、次いで、前記サービングセルに、前記ＳＦＮならびに／または前記初期周波数間測定ギャップ内のプライマリ同期信号（ＰＳＳ）および／もしくはセカンダリ同期信号（ＳＳＳ）の相対位置を報告することと
を含む、請求項１に記載の方法。
【請求項２６】
前記サービングセルは、前記ＵＥが初期周波数間測定ギャップにおいて従来のセル検索を実施することと、前記タイミング情報を前記サービングセルに送信することとに従って、前記セルの前記タイミング情報を決定する、請求項１に記載の方法。
【請求項２７】
前記ＵＥが、前記初期周波数間測定ギャップにおいて従来のセル検索を実施することと、
前記初期周波数間測定ギャップのパターンが前記セルの物理ブロードキャストチャネル（ＰＢＣＨ）をカバーしないことを示し、前記周波数間測定ギャップ内のＰＳＳ／ＳＳＳの相対位置を含むメッセージを前記ＵＥが前記サービングセルに報告することと
に従って、前記サービングセルは、前記セルの前記タイミング情報を決定し、
前記サービングセルが測定ギャップを構成することは、前記サービングセルが前記初期周波数間測定ギャップを再位置付けすることを含む、請求項１に記載の方法。
【請求項２８】
無線通信システムであって、前記無線通信システムは、
異種ネットワーク（ＨｅｔＮｅｔ）と、
関連付けられるカバーエリアを伴うサービングセルと、
前記カバーエリア内に展開されるセルのクラスタ内のセルと
を備え、
前記セルのクラスタの各セルは、ディスカバリ信号を伝送するように構成され、
前記サービングセルは、前記セルのタイミング情報および前記対応するディスカバリ信号のディスカバリ信号伝送パターンを決定するように構成され、
前記サービングセルは、前記ディスカバリ信号が測定ギャップ中に伝送されるように、かつ、ユーザ機器（ＵＥ）が前記測定ギャップ内の前記ディスカバリ信号を読み取ることができるように、前記測定ギャップを構成するように構成される、
無線通信システム。
【請求項２９】
前記サービングセルは、前記タイミング情報、前記ディスカバリ信号の持続時間、および前記無線通信システムの粒度に基づいて前記測定ギャップを構成するように構成される、請求項２８に記載の無線通信システム。
【請求項３０】
前記セルは、低電力ノード（ＬＰＮ）を含む、請求項２８に記載の無線通信システム。
【請求項３１】
前記ＵＥは、前記サービングセルと通信するために適合され、前記カバーエリア内に展開される、請求項２８に記載の無線通信システム。
【請求項３２】
前記測定ギャップ中に前記ディスカバリ信号を検出するようにさらに適合された前記ＵＥをさらに含む、請求項２８に記載の無線通信システム。
【請求項３３】
ディスカバリ信号を伝送するように構成された各前記セルは、異なる時間において前記ディスカバリ信号の異なる部分を伝送するように構成された各前記セルを含む、請求項２８に記載の無線通信システム。
【請求項３４】
ディスカバリ信号を伝送するように構成された各前記セルは、前記ディスカバリ信号の完全なディスカバリ信号を伝送する前後に、前記ディスカバリ信号の前記異なる部分を伝送するように適合された各前記セルを含む、請求項３３に記載の無線通信システム。
【請求項３５】
ディスカバリ信号を伝送するように構成された各前記セルは、前記ディスカバリ信号の２つの離間されたコピーを伝送するように適合された各前記セルを含み、測定ギャップを構成するように構成された前記サービングセルは、前記ディスカバリ信号の前記２つの離間されたコピー間の前記測定ギャップの中心を標的とするように適合された前記サービングセルを含む、請求項２８に記載の無線通信システム。
【請求項３６】
前記セルのクラスタの各セルは、
【化１９】
2019504513.tif 000020
であるとき、前記ディスカバリ信号の複数の隣接するコピーのディスカバリ信号を伝送するように構成される低電力ノード（ＬＰＮ）であり、式中、Δ１は、粒度であり、Δ２は、タイミング情報不正確度であり、Ｔは、前記ディスカバリ信号の持続時間であり、Ｔｇａｐは、前記測定ギャップの持続時間である、請求項２８に記載の無線通信システム。
【請求項３７】
１つの前記コピーが、粒度およびタイミング情報不正確度に基づいて前記測定ギャップ内に伝送されることを確実にするために必要な前記コピーの数を決定するように適合された前記無線通信システムをさらに備える、請求項３６に記載の無線通信システム。
【請求項３８】
前記カバーエリア内に展開される前記さらなるセルのさらなるクラスタ内のさらなるセルをさらに備え、前記サービングセルはさらに、前記クラスタおよび前記さらなるクラスタのどちらが前記ＵＥにより近接したクラスタであるかを決定するように構成される、請求項２８に記載の無線通信システム。
【請求項３９】
前記ＵＥはさらに、初期周波数間測定ギャップにおいて従来のセル検索を実施して、前記タイミング情報を前記サービングセルに提供するように構成され、測定ギャップを構成するように構成された前記サービングセルは、前記ＵＥから受信される報告に基づいて、前記セルのうちの１つおよび前記より近接したクラスタの前記さらなるセルの第１の測定ギャップを構成するように構成される前記サービングセルを含む、請求項３８に記載の無線通信システム。
【請求項４０】
ディスカバリ信号を伝送するように構成された各前記セルは、前記ディスカバリ信号の複数の連続コピーを伝送するように構成された各前記セルを含み、測定ギャップを構成するように構成された前記サービングセルは、少なくとも１つの前記コピーが前記測定ギャップとともに完全に受信されるように、少なくとも１つの前記測定ギャップを構成するように構成された前記サービングセルを含む、請求項２８に記載の無線通信システム。
【請求項４１】
初期周波数間測定ギャップにおいて従来のセル検索を実施して、前記検索に基づいて前記タイミング情報を前記サービングセルに提供するように構成された前記ＵＥをさらに含み、測定ギャップを構成するように構成された前記サービングセルは、前記初期周波数間測定ギャップを再位置付けするように構成された前記サービングセルを含む、請求項２４に記載の無線通信システム。
【発明の詳細な説明】
【技術分野】
【０００１】
（関連出願）
本願は、２０１４年３月２０日に出願された米国仮出願第６１／９５５，９４５号（名称「Ｍｅｔｈｏｄ  ｆｏｒ  Ｓｉｇｎａｌ  Ｔｒａｎｓｍｉｓｓｉｏｎ  ｗｉｔｈ  Ｎｅｔｗｏｒｋ  Ａｓｓｉｓｔａｎｃｅ」）に基づく優先権を主張し、これにより、その内容が、その内容全体が述べられているかのように、参照によって明示的に援用される。
【０００２】
（発明の分野）
本開示は、セルラー遠隔通信システムに関し、より具体的には、マクロ基地局のカバーエリア内のクラスタ内に展開される複数の低電力ノードを伴う、異種および他のネットワークに関する。
【背景技術】
【０００３】
（背景）
今日のセルラー通信システムは、音声サービスだけではなく、全世界へのモバイルブロードバンドサービスも提供する。携帯電話および他の無線デバイスに対する用途の数が増加し、データの消費量が増加し続けるにつれて、モバイルブロードバンドデータサービスに対する膨大な要求が発生する。これは、電気通信オペレータが、データ処理量を向上させ、限定されたリソースの効率的な利用を最大限にすることを要求する。
【０００４】
ポイントツーポイントリンクに対するスペクトル効率がその理論限界に対処するため、データ処理量を増加させるための１つの方法は、大きいセルをさらにより小さいセルに分割することである。しかしながら、セルが相互により接近した状態になると、近接および隣接したセル干渉は、より深刻な状態になり、セル分割ゲインは、飽和する。さらに、オペレータのための基地局を設置するための新しい用地を取得することがより困難になっており、コストもまた、増加している。したがって、セル分割単独では、本要求を満たすことができない。
【０００５】
最近では、ＨｅｔＮｅｔ（異種ネットワーク）と称される新しいタイプのネットワーク展開が、提案されており、本業界において関心を持たれ、相当な労力があてられている。ＨｅｔＮｅｔでは、複数の低電力ノードを含む別のティアが、既存のマクロ基地局のカバーエリア上に追加される。低電力ノードは、通常、セルのクラスタ内に展開される。
【０００６】
低電力ノード（ＬＰＮ）のセルは、同一の搬送波周波数上で、または異なる搬送波周波数上でマクロノードとして動作し得る。３ＧＰＰ（第３世代パートナーシッププロジェクト規格）等の種々の通信プロトコルでは、これらの低電力ノードのディスカバリは、必ずしも、従来の機構を用いて可能ではないことが見出されている。したがって、新しいディスカバリ信号（ＤＳ）の導入が、３ＧＰＰ等の種々の通信プロトコル内で議論される。
【発明の概要】
【課題を解決するための手段】
【０００７】
（発明の概要）
本開示は、方法およびＨｅｔＮｅｔと、関連付けられるカバーエリアを伴うサービングセルと、カバーエリア内のセルの１つまたは複数のクラスタ内に展開される複数の付加的な低電力ノード（ＬＰＮ）とを含む無線通信システムを提供する。ＬＰＮは、関連付けられるスモールセルのタイミングに基づいて、関連付けられるディスカバリ信号を伝送する。サービングセルは、セルのタイミング、したがって、ディスカバリ信号の伝送パターンを決定するように構成される。サービングセルは、ディスカバリ信号が測定ギャップ中に伝送されるように測定ギャップを構成し、ユーザ機器（ＵＥ）は、ディスカバリ信号と関連付けられるＬＰＮの存在を検出することができる。ネットワークは、適宜、測定ギャップを置き、および／またはディスカバリ信号（ＤＳ）伝送スキームを調節することによって、種々の程度の粒度およびタイミング測定不正確度にわたってこれを遂行するように適合される。
【図面の簡単な説明】
【０００８】
本発明は、付随の図面と併せて読まれるとき、以下の詳細な説明から最良に理解される。一般的な実践によると、図面の種々の特徴は、必ずしも、縮尺通りではないことが強調される。対照的に、種々の特徴の寸法は、明確にするために、任意に拡張または縮小されてもよい。同様の番号は、本明細書および図面全体を通して同様の特徴を示す。
【図１】図１は、マクロカバーエリア内に１つのマクロノードおよび低電力ノードの２つのクラスタを伴う、ＨｅｔＮｅｔの実施形態の概略図である。
【図２】図２は、本開示のＬＴＥ実施形態による、測定ギャップパターンを示す。
【図３】図３は、ＬＰＮクラスタに関するタイミング情報による、測定ギャップを構成するサービングセルを伴うＨｅｔＮｅｔを示す、概略図である。
【図４】図４は、本開示の実施形態による、測定ギャップ内を中心とするディスカバリ信号を示す。
【図５】図５は、本開示の実施形態による、測定ギャップ内のディスカバリ信号を示す。
【図６】図６は、本開示の実施形態による、測定ギャップ内であるが、それを中心としないディスカバリ信号を示す。
【図７】図７は、ディスカバリ信号が部分的に測定ギャップの外側にある実施形態を示す。
【図８】図８Ａおよび８Ｂは、本開示の実施形態による、測定ギャップに対するディスカバリ信号の三重伝送の２つの実施例を例証する。
【図９】図９は、本開示の実施形態による、測定ギャップに対する５つの隣接するディスカバリ信号伝送を示す。
【図１０】図１０は、本開示の実施形態による、測定ギャップに対する隣接しないディスカバリ信号伝送の実施形態を示す。
【図１１】図１１は、本開示の実施形態による、隣接しないディスカバリ信号伝送を示し、最大許容可能タイミング誤差を示す。
【図１２】図１２は、本開示の種々の実施形態による、測定ギャップに対する隣接しないＤＳ伝送を示す。
【図１３】図１３は、本開示の実施形態による、測定ギャップに対するディスカバリ信号の区分毎画定を例証する。
【図１４】図１４は、本開示の実施形態による、測定ギャップに対するディスカバリ信号の別の区分毎画定を例証する。
【図１５】図１５は、本開示の別の実施形態による、測定ギャップに対するディスカバリ信号の区分毎画定を例証する。
【図１６】図１６は、本開示の実施形態による、測定ギャップに対するディスカバリ信号の部分の隣接しない伝送の実施形態を示す。
【図１７】図１７は、測定ギャップがＵＥ情報およびセルタイミング情報に基づくネットワークを示す、概略図である。
【図１８】図１８は、本開示の種々の実施形態による、ある方法を例証するフローチャートである。
【発明を実施するための形態】
【０００９】
（詳細な説明）
デバイスが、ディスカバリ信号と称されるものをブロードキャストし得る。ディスカバリ信号は、相互に近傍内にあるデバイスが、他のデバイスの存在および／または接続がディスカバリ信号を伝送するデバイスと確立されるべきかどうかを決定する際に受信デバイスに有用であり得る情報を決定することを可能にする。ディスカバリ信号は、ユーザ識別子、デバイス識別子、グループ識別子を通信するように伝送され、例えば、特定のグループ内のメンバーシップ、サービス提供、製品広告、サービスの要求等を示し得る。デバイスは、同一または異なる情報を通信するために、ディスカバリ信号を周期的に伝送し得る。ディスカバリ信号の伝送は、あるエリアに進入するデバイスが、伝送するデバイスの存在を検出し、伝送するデバイスから利用可能な、またはそれによって探索されているデバイス、サービス等についての情報を発見することを可能にする。ディスカバリ信号は、概して、本開示全体を通してＤＳとして識別される。
【００１０】
ＬＰＮを伴うＨｅｔＮｅｔシステム等のシステムでは、ネットワークを効率的に動作させるために、ＵＥ（ユーザ機器）は、ＵＥが、適宜、その挙動を調節し、適切なセル／ノードと通信し得るように、低電力ノード（ＬＰＮ）の存在を検出することが所望される。上記のように、ＬＰＮは、ディスカバリ信号を伝送し得る。
【００１１】
サービングセルとは異なる周波数で動作するＬＰＮのディスカバリは、ＬＰＮのディスカバリ信号（ＤＳ）の伝送スキームに特殊な要求を出す。本開示の種々の実施形態では、サービングセルは、周波数間測定のためにこれらの測定ギャップを使用するＵＥにおいて、測定ギャップを構成する。いくつかの実施形態では、これらの測定ギャップは、サービングセルのタイミングに対して構成される。本開示は、ＵＥがＤＳのおよび関連付けられるＬＰＮを検出することが可能であるように、有利なこととして、ＵＥにおいて測定ギャップと一致するためのＤＳの伝送を提供する。
【００１２】
ＤＳ伝送は、ＬＰＮのタイミングと相対的であるため、サービングセルが測定ギャップを構成するとき、これがＬＰＮのタイミングについての知識を有すると有益である。種々の３ＧＰＰ実施形態では、本方法は、ネットワーク補助下ディスカバリと称される。実際のＨｅｔＮｅｔシステムでは、利用可能なタイミング情報において、不確定性が存在し得る。本開示は、ネットワーク補助下ディスカバリを実施するとき、不正確なタイミング情報に関連する情報を分析および解決し、そのような問題を解決する方法およびシステムを提供し、ＵＥが測定ギャップ中にディスカバリ信号を受信し得るようにＤＳ伝送が起こる測定ギャップを提供する。
【００１３】
本明細書に説明される種々の実施形態は、ＬＴＥ（ロングタームエボリューション）システムの文脈において議論されるが、本開示の概念、システム、および方法は、ＬＴＥシステムおよびプロトコルに限定されるように解釈されるべきではない。加えて、本明細書に開示される種々の実施形態は、ディスカバリ信号の伝送の文脈において説明されているが、他の目的のための信号も、本開示に説明されるスキームおよび方法を使用し得ることを理解されたい。
【００１４】
マクロカバーエリア内に１つのマクロノードおよび低電力ノードの２つのクラスタを伴う、ＨｅｔＮｅｔシステム展開の実施形態が、図１に示される。図１では、マクロノード３は、カバーエリア５を含み、多くの実施形態においてサービングセルである。マクロノード３は、代替として、以降では、サービングセル３と称され得る。第１のスモールセルクラスタ７および第２のスモールセルクラスタ１３が、カバーエリア５内にある。低電力ノード（ＬＰＮ）である第１のセル９が、第１のスモールセルクラスタ７内にあり、また、ＬＰＮである第２のセル１５が、第２のスモールセルクラスタ１３内にある。第１のスモールセルクラスタ７は、Ｎ１低電力ノード、すなわち、Ｎ１第１のセル９を含み、第２のスモールセルクラスタ１３は、Ｎ２低電力ノード、すなわち、Ｎ２第２のセル１５を含む。Ｎ１およびＮ２は、クラスタ内に配列されるセルの種々の番号のいずれかを表し得る。ユーザ機器（ＵＥ）１７もまた、カバーエリア５内に示される。ＵＥ１７は、無線ネットワークを使用する種々のユーザ機器タイプのいずれかを表す。以下の実施形態の説明では、マクロノード３は、周波数ｆ０で動作し、第１および第２のスモールセルクラスタ７、１３の第１および第２のセル９、１５は、それぞれ、周波数ｆ１およびｆ２で動作する。本開示のいくつかの実施形態では、周波数ｆ１≠ｆ２であり、他の実施形態では、周波数ｆ１＝ｆ２である。マクロノード３の周波数ｆ０は、周波数ｆ１およびｆ２とは異なる。
【００１５】
本開示は、クラスタ内のセル、例えば、第１のスモールセルクラスタ７内の第１のセル９が相互に同期して伝送する実施形態と併せて説明される。第１および第２のスモールセルクラスタ７、１３は、必ずしも、マクロノード３のサービングセルと同期されない。本開示の側面は、測定ギャップを置くために、マクロノード３のサービングセルが、第１のスモールセルクラスタ７の第１のセル９のタイミングおよび第２のスモールセルクラスタ１３の第２のセル１５のタイミングについての知識および情報を得ると定める。
【００１６】
サービングセルの測定ギャップは、サービングセルのタイミングに対して構成されるが、それぞれのＬＰＮ（例えば、第１および第２のセル９、１５）と関連付けられるディスカバリ信号は、ＬＰＮによって、低電力ノードのタイミングに対して、すなわち、第１のスモールセルクラスタ７の第１のセル９のタイミングおよび第２のスモールセルクラスタ１３の第２のセル１５のタイミングに対して伝送される。マクロノード３のサービングセルが、第１のセル９および第２のセル１５のタイミングならびに低電力ノード、すなわち、第１のセル９および第２のセル１５におけるＤＳの伝送パターンを把握すると、サービングセルは、したがって、測定ギャップがＤＳ伝送パターン／スキームとマッチし、ＵＥが測定ギャップ中にＤＳを検出することを可能にするように、適宜、それらを置くように構成される。
【００１７】
本明細書に説明される実施形態では、マクロノード３および低電力ノード、すなわち、第１のセル９および第２のセル１５は、異なる周波数で動作する。本開示の一実施形態では、マクロノード３によってサービス提供されるＵＥ１７が、ＬＰＮ（セル９および１５）を発見するために、周波数間測定を実施するように構成される。種々の実施形態では、ＵＥ１７は、自律的に周波数間測定を実施する。そのような実施形態の一実施例は、複数の周波数を監視し、種々の基準に基づいて再選択し得る、アイドルＬＴＥ  ＵＥである。
【００１８】
ＵＥが複数の受信機を有していない限り、周波数間測定は、典型的には、周波数間測定ギャップ中に実行される。周波数間測定は、後でサービングセルによって再構成される、周波数間測定ギャップ中に起こり得る。これらのギャップ中、ＵＥは、新しい周波数にその無線を同調させ、測定を実施することができる。サービングセルからのアップリンクまたはダウンリンクデータは、そのようなギャップ中に全くスケジューリングされない。
【００１９】
一ＬＴＥ実施形態では、周波数間測定ギャップは、６ミリ秒の長さを有する。図２に例証されるもの等のいくつかの実施形態では、４０ミリ秒および８０ミリ秒で構成可能である２つの測定ギャップ繰り返し周期が存在し得る。図２は、一ＬＴＥプロトコル実施形態における測定ギャップパターンを示す。測定ギャップ２１が、周波数内測定とデータ伝送／受信領域２３との間に示される。本実施形態では、各ＵＥは、測定ギャップ２１が設定されると、個々のサブフレームオフセットを割り当てられてもよい。サブフレームオフセットは、有利なこととして、サービングセルのタイミングに相対的に規定される。４０ミリ秒の周期性に関して、サブフレームオフセットは、０〜３９の値をとることができ、８０ミリ秒の周期性に関して、それらは、０〜７９の値をとることができる。いくつかの実施形態では、測定ウィンドウのタイミングは、１サブフレーム＝１ミリ秒の粒度で設定されることができる。
【００２０】
本開示の文脈では、粒度は、測定ギャップの開始が構成され得る正確度、すなわち、測定ギャップの開始を画定するために使用され得る最小タイミング単位を意味する。ＬＴＥ実施形態では、これは、１ミリ秒である。ＵＥが使用し得る測定ギャップの開始は、サービングセルのＰＳＳ／ＳＳＳタイミングに対して画定されるが、ＤＳは、スモールセルクラスタのタイミングに対して伝送される。スモールセルクラスタとサービングセルとの間のタイミング差異は、アナログ数字のように恣意的であり得る。サービングセルが厳密なタイミング差異を把握する場合であっても、この厳密に全ての時間にわたって補償することができず、したがって、粒度が、測定ギャップの開始が構成され得る正確度を表すために使用される。
【００２１】
ある場合には、粒度は、表され得る２つの近傍番号間の段階的長さを説明する。より一般的には、粒度は、サービングセルが測定ギャップの開始を画定し得る段階的サイズである。３ＧＰＰ  Ｒ１２仕様書では、これは、１ミリ秒であるが、粒度は、他のプロトコルおよび実施形態では、他の値をとる。
【００２２】
本開示は、異なる大きさのタイミング情報不正確度に関する種々のＤＳ伝送スキームを説明する。上記のように、サービングセルがスモールセルクラスタのタイミングおよび低電力ノードにおけるＤＳの伝送パターンを発見すると、このタイミングは、その関連付けられるタイミング不正確度をもたらし得る。種々の実施形態では、ネットワークは、リアルタイミングからのタイミング情報の最大可能偏差を把握し、次いで、これは、適宜、ＤＳ伝送スキームを選定する。本概念は、サービングセルのカバーエリア内の全てのＬＰＮクラスタが同一のタイミングを有する実施形態に関して開示される。本概念は、次いで、異なるクラスタが異なるタイミングを有する実施形態に拡大される。
【００２３】
本開示に説明される例示的実施形態では、サービングセルは、上記に議論され、図２に示されるような測定ギャップを適切に置き、ある方法では、効率的な信号受信、すなわち、例えば、周波数間測定のために使用される従来のＬＴＥ測定ギャップを促進するために、利用可能なタイミング情報を使用する。
【００２４】
他の実施形態では、現在利用可能なギャップ以外のギャップが、使用されてもよい。一実施形態では、ネットワーク補助ウィンドウが、使用される。別の実施形態では、「測定ギャップ」は、新しいＬＴＥ測定ギャップであり、ディスカバリを目的として画定される。さらに別の実施形態では、「測定ギャップ」は、ＵＥが周波数間測定を実施することが予期される、任意の命令、スケジューリング制限、または受信制限である。
【００２５】
低電力ノードは、それらの独自のタイミングに従って、ＤＳを伝送する。サービングセル、典型的には、マクロノード３等のマクロノードは、サービングセルのタイミングに従って、測定ギャップを構成する。他の実施形態では、サービングセルは、サービングセルタイミングに従って、ネットワーク補助ウィンドウを構成する。
【００２６】
サービングセルは、典型的には、マクロノードであり、ＵＥは、上記のように低電力ノードのうちの１つまたはいくつかのクラスタに周波数間測定を実施する。しかしながら、本明細書に説明される概念はまた、サービングセルがクラスタの１つのＬＰＮであり、周波数間測定が異なるクラスタの低電力ノードに実施される実施形態、またはサービングセルがクラスタの１つのＬＰＮであり、周波数間測定がマクロノードも同様にＤＳを伝送している実施形態によるマクロノードに実施される実施形態等の他の実施形態にも適用される。
【００２７】
種々の実施形態では、恣意的な時間オフセットが、サービングセルとＬＰＮクラスタとの間に存在する。本実施形態では、サービングセルは、最初に、ＬＰＮクラスタのタイミングを決定し、次いで、これは、適宜、測定ギャップを構成することができる。これは、ＬＰＮクラスタについてのタイミング情報に従って測定ギャップを構成するサービングセルを例証する、図３に例証される。
【００２８】
一実施形態によると、クラスタタイミングは、以下のようなＬＴＥ実施形態において取得される。初期段階では、全てのクラスタ、例えば、クラスタ３１内に展開される低電力ノード２９は、常時、オンである。ＤＳ伝送が、信号経路２７に沿って起こる。次いで、ＵＥ１７は、初期周波数間測定ギャップにおいて従来のセル検索を実施する。次に、ギャップが測定されたセルの１つの無線フレームの第１の５ミリ秒を捕捉する場合、ＵＥ１７は、ＭＩＢ（マスタ情報ブロック）をデコードし（スロット１の第１の４つのＯＦＤＭシンボル）、同時に測定されたセルのシステムフレーム番号（ＳＦＮ）を得ることができる。次に、ＵＥ１７は、サービングセルに、測定されたＳＦＮならびに／またはギャップ内のプライマリ同期信号（ＰＳＳ）および／もしくはセカンダリ同期信号（ＳＳＳ）の相対位置を報告する。サービングセルは、次いで、ＳＦＮとスモールセルとの相対関係に適合され、それを導出する。ギャップ内に２つのＰＳＳ／ＳＳＳが存在し得るため、別の実施形態は、単純にフレームオフセットを報告するＵＥ１７、またはある粒度、例えば、１ミリ秒を伴う相対時間差異を報告する（これは、ＳＦＮおよび１ミリ秒の粒度を伴うフレームオフセットを報告することに類似する）ＵＥ１７を含む。
【００２９】
ギャップが測定されたセルの１つの無線フレームの第２の５ミリ秒を捕捉する場合、ＵＥ１７は、現在のギャップパターンが測定されたセル２９の物理ブロードキャストチャネル（ＰＢＣＨ）をカバーしないことを示すメッセージをマクロセル３に報告し、メッセージは、マクロセル３が適切なギャップパターンを再割り当てすることを促進するために、ギャップ内のＰＳＳ／ＳＳＳの相対位置を含む。次いで、マクロセル３は、ギャップに完全にＰＢＣＨをカバーさせるように、ギャップ内のＰＳＳ／ＳＳＳの報告された相対位置に従って、測定ギャップの開始点を移動させる、すなわち、マクロセル３は、測定ギャップを再位置付けする。ギャップ内にＰＢＣＨを含む新しく構成されたギャップパターンでは、ＵＥ１７は、従来のセル検索を実施し、ステップを実施することができる。
【００３０】
いったん全てのスモールセルクラスタ２７の相対タイミング関係の全てが得られると、マクロセル３は、スモールセル２９に、通常のオン／オフ動作を開始し、スモールセル２９が従来のＰＳＳ／ＳＳＳおよびＰＢＣＨ伝送をオフにし得ることを通知する。第１段階の動作は、タイミングドリフトを追跡する場合には、周期的に実行されることができる。いくつかの実施形態では、ＵＥに上記の第１段階動作を実施すべきかどうかを示す、１つのインジケータが存在する。
【００３１】
サービングセル（例えば、マクロセル３）は、上記に説明されるような低電力ノード２９のクラスタ３１のタイミング情報３３を取得した。種々の実施形態では、サービングセルは、ＤＳ伝送が図４に示されるもの等の測定ギャップの中間をちょうど中心として起こるように、初期周波数間ギャップを再位置付け／再構成し、新しい測定ギャップを構成するように適合される。本様式では、理想的伝送点から早いおよび遅い時間偏差が、同等にカバーされる。ＤＳ中心測定ギャップ位置付けは、「Ｔ」がＤＳ３５の持続時間であり、測定ギャップ３７が６ミリ秒の測定ギャップである図４に例証される。他の持続時間の測定ギャップも、他の実施形態では使用される。
【００３２】
本開示によって網羅されるいくつかの実施形態では、サービングセルが測定ギャップを置き得る正確さの程度に影響を及ぼす制限が存在し得る。これらの制限は、測定ギャップが構成され得る粒度またはサービングセルにおいて利用可能であるクラスタタイミング情報における不正確度に由来し得る。この不正確度の大きさに応じて、測定ギャップは、誤って置かれ得、したがって、ＤＳは、本開示の原理がない場合、ＵＥによって受信されないであろう。
【００３３】
以下の実施形態によると、全てのクラスタは、同一のタイミングを有するが、サービングセルに同期されない。サービングセルは、ＬＰＮ／セルのクラスタのスモールセルのタイミングに全く影響を及ぼさない。サービングセルは、スモールセルのタイミングを検出および把握するが、サービングセルは、そのタイミングを調節することができない。３ＧＰＰ規格による実施形態では、測定ギャップのサブフレームオフセットは、サービングセルによって、１ミリ秒（＝１サブフレーム）の粒度で構成される。本実施形態では、測定ギャップが、ＤＳが厳密に図４のような測定ギャップの中間にあるように置かれ得ることは保証され得ない。
【００３４】
図５は、１ミリ秒の粒度を伴う実施形態を提示し、測定ギャップ中心から約０．５ミリ秒のＤＳ４１のオフセットを示す。粒度に起因するこの偏差または丸め誤差は、Δ１と称され、それによって表される。図５は、中心点３９を伴う６ミリ秒の測定ギャップ３７を示す。粒度偏差に起因して、「Ｔ」によって示される持続時間を有するＤＳ４１は、中心から距離４３だけ離れて位置してもよい。換言すると、ＤＳ４１は、依然として測定ギャップ３７内である、場所４５または場所４７を中心としてもよい。
【００３５】
測定ギャップ内のＤＳウィンドウの配置に影響を及ぼし得る別の潜在的誤差源は、サービングセルが有する、スモールセル層タイミングについて利用可能な情報の正確度である。この非理想的タイミング情報は、以降では、Δ２と表され、これは、タイミング情報における誤差であり、タイミング情報不正確度と称され得る。多くの要因が、この値に影響を及ぼし得る。そのような要因は、期限切れのタイミング情報に限定されないが、サービングセルとＵＥとの間の伝搬遅延ならびにＵＥとスモールセル層との間の伝搬遅延、およびサービングセルがスモールセル層タイミングを取得する方法を含む。Δ２の値は、実装に関連しており、異なる実施形態および展開、ネットワーク実現概念、なならびにさらに異なるセルに対して異なる。
【００３６】
前述の実施形態のいずれにおいても、本開示は、ＤＳが測定ギャップ内に位置するように測定ギャップを生成することを提供する。さらに、測定ギャップ中心からのＤＳの予期される偏差に応じて、本開示は、ＤＳが測定ギャップ中にＵＥによって伝送され、可読であることを確実にするために、異なるＤＳ伝送スキームおよび測定ウィンドウ配置方策を提供する。
【００３７】
以下の実施例は、本開示の種々の側面の限定ではなく、例証であることが意図される。
【実施例】
【００３８】
（実施例１）
【００３９】
【化１】
2019504513.tif 000002
【００４０】
図６は、Ｒｅｌｅａｓｅ  ８−１１ＬＴＥ規格の実施形態による、０．５ミリ秒がウィンドウ構成の粒度Δ１によって引き起こされる偏差および丸め誤差を表す、実施形態を示す。異なる粒度が使用される他の実施形態に関して、Δ１は、０．５ミリ秒以外の値をとる。図６は、タイミング情報正確度Δ２が［３ミリ秒−０．５ミリ秒−（Ｔ／２）］よりも小さく、全ＤＳが測定ギャップ内に完全に受信される実施形態を示す。
【００４１】
一般的な場合では、Δ１は、前述の方程式において０．５ミリ秒の代わりに現れる。前述の方程式
【００４２】
【化２】
2019504513.tif 000003
【００４３】
は、より一般的に
【００４４】
【化３】
2019504513.tif 000004
【００４５】
と表されることができ、式中、Ｔｇａｐは、測定ギャップの測定の長さを表す。換言すると、粒度Δ１および測定不正確度Δ２に加えて、ＤＳの持続時間の半分の合計が、測定ギャップの長さの半分を下回る場合、ＤＳが測定ギャップ中に受信される、すなわち、ＤＳが測定ギャップ中に完全に伝送されるであろうことが保証される。
【００４６】
以下の例示的実施形態では、Δ１に対して０．５ミリ秒の値が、使用されるが、Δ１に対して他の値も、他の実施形態では使用される。
【００４７】
本例示的実施形態で使用される３ミリ秒の値は、Ｔｇａｐ／２と表される半分の測定ギャップ長さに等しく、式中、Ｔｇａｐは、一ＬＴＥ実施形態では、６ミリ秒である測定ギャップの長さを表す。ＬＴＥの場合に関する本実施形態は、図６に実施例としてのみ提示され、他の測定ギャップ長さも、他の実施形態において使用されることを理解されたい。本実施形態では、ウィンドウ配置における不確定性（すなわち、タイミング情報不正確度Δ２）は、全ＤＳが受信されるように測定ギャップ３７が構成され得ることが保証され得るように、十分に小さい。これは、上記に記載されるようなＤＳ４１および測定ギャップ３７を示す、図６に例証される。図６では、タイミング情報正確度Δ２は、［３ミリ秒−０．５ミリ秒−（Ｔ／２）］よりも小さく、全ＤＳ４１が、測定ギャップ３７内に受信され、位置付けられる。
【００４８】
（実施例２）
【００４９】
【化４】
2019504513.tif 000005
【００５０】
図７に示される本実施形態では、粒度Δ１＝０．５ミリ秒であり、Ｔｇａｐ／２は、３ミリ秒であり、ＤＳ４１の一部は、測定ギャップ３７内に受信されるが、全ＤＳ４１が、測定ギャップ３７内に受信されるわけではない。図７は、タイミング情報正確度が［３ミリ秒−０．５ミリ秒＋（Ｔ／２）］よりも良好である実施形態を示す。図７に例証される実施形態では、タイミング情報正確度は、方程式
【００５１】
【化５】
2019504513.tif 000006
【００５２】
に従うため、［３ミリ秒−０．５ミリ秒＋（Ｔ／２）］よりも良好であり、したがって、ＤＳ４１は、完全にではないが部分的に、６ミリ秒の測定ギャップ３７内にある。
【００５３】
オリジナルＤＳが完全に測定ギャップ３７内にあるわけではない本実施例の実施形態では、本開示は、図８Ａおよび８Ｂに示されるような、ＬＰＮによって伝送されるべきＤＳの３つの隣接するコピーを提供する。図８Ａおよび８Ｂは、Δ２＜２．５ミリ秒＋Ｔ／２の場合では、ＤＳの三重伝送を示す。ＤＳの３つの隣接するコピーは、元々の位置において１つのコピーＤＳ４１Ａを含む、すなわち、ＤＳ４１Ａは、測定ギャップの中心を標的とするＤＳである。加えて、１つのコピーＤＳ４１Ｂが、ＤＳ４１Ａに先行し、ＤＳ４１Ｃの１つのコピーが、オリジナルディスカバリ信号ＤＳ４１Ａの直後にある。本実施例における、先の実施例と比較してより大きいタイミング不確定性に起因して、測定ギャップの中心を標的とするＤＳが、測定ギャップ内に完全に受信されることは確実ではあり得ない。ＤＳが測定ギャップ内で開始するであろうことのみが保証され、これがギャップ内で終了するであろうことは保証され得ない。したがって、ＤＳがギャップ内に完全に受信される保証は全くない。したがって、本実施例のより大きいタイミング不確定性に対処するために、本開示は、中心を標的とするオリジナルＤＳ（ＤＳ４１Ａ）の前にＤＳの１つのコピーと、中心を標的とするＤＳの後にＤＳの別のコピーとの伝送を提供する。本様式では、ＤＳの少なくとも１つのコピーが、測定ギャップ内にあり、ＵＥによって発見されるであろうことは確実にされる。ＤＳ４１Ａ、ＤＳ４１Ｂ、およびＤＳ４１Ｃは、同一のディスカバリ信号の３つのコピーであることに留意されたい。それらは、大きいタイミング不確定性が存在するときであっても、ＵＥがディスカバリ信号を検出し、測定ギャップを置き得ることを確実にするために、異なる時刻において伝送される。本実施形態では、ネットワークによるＤＳの３つの隣接するコピーの伝送は、１つのＤＳが、常時、測定ギャップ３７内に完全に受信されることを確実にする。本開示の側面によると、異なるＤＳ伝送スキームも、提供され、異なる測定ギャップ配置方策も、サービングセルによって使用される。測定ギャップ３７がＤＳ４１、すなわち、ＤＳ４１Ａよりも早く構成されることが予期される場合、ＤＳの早着コピー、すなわち、ＤＳ４１Ｂが、図８Ａのように受信される。代替として、測定ギャップ３７がＤＳ４１Ａよりも遅く構成されることが予期される場合、ディスカバリ信号の遅着コピーＤＳ４１Ｃが、図８Ｂのように受信される。
【００５４】
（さらなる実施例：ＤＳの隣接する伝送）
図８Ａおよび８Ｂの概念は、種々の他の実施形態による、タイミング情報誤差におけるより大きい不確定性に対して拡大されてもよい。これは、少なくとも１つのＤＳが測定ギャップ内に受信されることを確実にするために成される、種々の数のＤＳ伝送のための以下の方程式に示される。
方程式セット＃１
【００５５】
【化６】
2019504513.tif 000007
【００５６】
方程式セット＃１の方程式では、等しい数のＤＳ伝送が、オリジナルＤＳ前後に実行される。
【００５７】
【化７】
2019504513.tif 000008
【００５８】
である実施形態は、方程式セット＃１による５つのＤＳの伝送を含み、ＤＳ伝送が隣接することを示す、図９に例証される。図９および方程式セット＃１は、５つの隣接するＤＳ伝送が起き、タイミング不正確度が条件
【００５９】
【化８】
2019504513.tif 000009
【００６０】
を満たす場合、ＤＳ伝送が測定ギャップ中に起きるであろうことを示す。方程式セット＃１はまた、７つの隣接するＤＳ伝送が起き、タイミング不正確度が条件
【００６１】
【化９】
2019504513.tif 000010
【００６２】
を満たす場合、ＤＳ伝送が測定ギャップ中に起きるであろうことを示し、以下同様である。
【００６３】
図９は、Δ２≦２．５ミリ秒＋３Ｔ／２である場合における、５つの隣接するＤＳ伝送（２つの早着コピーおよび２つの遅着コピー）を示す。図９では、測定ギャップ３７は、６ミリ秒の測定ギャップである。ディスカバリ信号伝送の２つの早着コピーが、ＤＳ４３Ａおよび４３Ｂとして示される。ディスカバリ信号ＤＳ４３ＤおよびＤＳ４３Ｅは、予期されるディスカバリ信号ＤＳ４３Ｃの遅着コピーである。測定ギャップ３７は、ディスカバリ信号ＤＳ４３Ａが測定ギャップ３７内に完全に受信されるように、粒度Δ１、タイミング情報不正確度Δ２、およびＤＳ伝送の数に応じて構成される。方程式セット＃１は、タイミング不正確度Δ２が増加するにつれて、ディスカバリ信号のうちの１つが測定ギャップ内に受信されることを確実にするために必要とされるＤＳ伝送の数が増加することを実証する。
【００６４】
（他の実施例：ＤＳの隣接しない伝送）
方程式セット＃１は、非常に大きいタイミング不正確度が、測定ギャップ内にＤＳが存在することを確実にするために、全てのコピーが相互に隣接して伝送される場合、ＤＳの多くのコピーの伝送を要求することを実証する。したがって、いくつかの実施形態では、ＤＳのコピーは、効率を増加させるために、それらの間における保護時間とともに伝送される。
【００６５】
いくつかの実施形態では、ＤＳの間に使用される保護時間は、ＤＳの持続時間（「Ｔ」）および測定ギャップの持続時間（またはネットワーク補助ウィンドウの持続時間）Ｔｇａｐに依存する。いくつかの実施形態では、
【００６６】
【化１０】
2019504513.tif 000011
【００６７】
である。
【００６８】
図１０は、ＤＳの隣接しない伝送の実施形態を提供する。本開示では、「隣接する伝送」は、連続ディスカバリ信号間にゼロ保護時間ｔｇｕａｒｄを伴う伝送を示す。図１０に例証される実施形態では、ＤＳの２つの隣接しないコピーが、オリジナルＤＳ４９とともに伝送される。一ＬＴＥ実施形態では、Ｔｇａｐは、６ミリ秒に等しい。１つのコピーＤＳＥａｒｌｙが、オリジナルＤＳ４９のｔｇｕａｒｄミリ秒前に送信され、別のコピーＤＳＬａｔｅが、オリジナルＤＳ４９のｔｇｕａｒｄミリ秒後に送信される。
【００６９】
サービングセルによって構成される測定ギャップは、中間（オリジナル）ＤＳ４９の周囲を中心とするように標的とされる。これは、中心ＤＳ４９および遅着ＤＳ、すなわち、ＤＳＬａｔｅのみが示される、図１１にさらに詳細に例証される。図１１では、破線枠５１は、測定ギャップの標的位置であり、この測定ウィンドウがオリジナルＤＳ４９の中心の周囲に置かれるように標的とされることを示す。タイミング不確定性に起因して、破線枠５１によって示される標的位置測定ギャップは、誤って置かれるが、ＤＳ伝送ＤＳＬａｔｅが実線枠５３として示される測定ギャップ内に受信されるように、実線枠５３として現れる。図１１は、隣接しないＤＳ伝送を示し、ディスカバリ信号ＤＳＬａｔｅが実線枠５３として現れる測定ギャップ内に完全にある、最大許容可能タイミング誤差を例証する実施形態である。標的位置５７からの偏差５５は、０．５ミリ秒の粒度Δ１を伴うＬＴＥ実施形態の場合では、０．５ミリ秒＋Δ２となるように計算される。より一般的には、偏差５５は、Δ１＋Δ２であり、式中、Δ１は、測定ウィンドウ構成の粒度に起因して引き起こされる誤差であり、Δ２は、利用可能なタイミング情報の不確定性である。
【００７０】
図１１は、
【００７１】
【化１１】
2019504513.tif 000012
【００７２】
であることを例証し、式中、Δ２ｍａｘは、タイミング不確定性における最大許容可能誤差である。Δ２ｍａｘよりも大きいΔ２の値に関して、ＤＳは、関連付けられる測定ギャップ、すなわち、実線枠５３内に全く受信されないわけではないであろう。先の方程式のｔｇｕａｒｄ＝Ｔｇａｐ−Ｔを組み込むと、前述の方程式は、方程式セット＃２と表されることができる。
方程式セット＃２
【００７３】
【化１２】
2019504513.tif 000013
【００７４】
（粒度誤差を除外する）最大タイミング誤差が１．５＊（Ｔｇａｐ−Ｔ）−０．５ミリ秒を下回る限り、ＤＳの１つのコピーが、測定ギャップ内に完全に受信されることができる。他の実施形態では、ｔｇｕａｒｄに対する値はまた、タイミング情報において予期される最悪の誤差に従って選定されることもできる。最悪の場合の誤差が方程式セット＃２において計算されるものを下回る限り、より緊密なＤＳコピーの伝送が、可能である。
【００７５】
（付加的な実施例）
以下の実施例は、先に説明された実施例におけるものよりも大きい、すなわち、１．５＊（Ｔｇａｐ−Ｔ）−０．５ミリ秒よりも大きいタイミング不正確度を伴う。タイミング不正確度が方程式セット＃２において計算されるものよりも大きい場合、隣接しないＤＳのより多いコピーが、本開示の種々の実施形態に従って伝送される。方程式セット＃２は、以下の方程式セット＃３として一般化されることができる。
方程式セット＃３
【００７６】
【化１３】
2019504513.tif 000014
【００７７】
式中、
【００７８】
【化１４】
2019504513.tif 000015
【００７９】
である。最大タイミング誤差が方程式セット＃３における式によって境界されると、ＤＳのｋ個のコピーが、オリジナルＤＳの前に伝送され、ＤＳのｋ個のコピーが、オリジナルＤＳの後に伝送される。２つの近傍する隣接しないＤＳ間の距離は、ＤＳ伝送スキーム全体を通して、一貫してｔｇｕａｒｄである。伝送されるＤＳの合計数は、本実施例では、常時、奇数である。
【００８０】
（さらなる実施例）
いくつかの実施例では、測定ギャップは、図１２に例証されるように、２つの連続する隣接しないＤＳ間を中心とするように標的とされる。先の実施形態では、測定ギャップは、オリジナルＤＳの周囲を中心とするように標的とされた。図１２に示されるもの等の他の実施形態では、測定ギャップは、ＤＳの２つのコピー間を中心とするように標的とされる。本実施形態では、偶数のＤＳが、伝送される。ＤＳの２つのコピー間の時間は、ｔｇｕａｒｄ＝Ｔｇａｐ−Ｔによって画定される。破線枠６１によって示される測定ギャップは、２つのＤＳが伝送される場合を例証する図１２に示されるように、２つの連続ＤＳ伝送６５Ａおよび６５Ｂ間の空間ｔｇｕａｒｄの中間６３に対して中心とするように標的とされる。タイミング不確定性に起因して、測定ギャップの実際の位置は、破線枠６１によって示される標的とされた位置から偏移し得、実線枠６７によって示される。ＵＥにおける測定ギャップを構成するサービングセルは、ＤＳ伝送時刻、すなわち、ＬＰＮがＤＳを伝送するときの時間についての厳密な知識を全く有していない。しかし、本実施例の所与の不確定性において、サービングセルが破線枠６１によって示されるような２つのＤＳ伝送間の中間におけるギャップの中心を標的とすると、実線枠６７によって示されるような実際の測定ギャップが、依然として、本開示によるＤＳの少なくとも１つのコピーをカバーすることを確実にされ得る。
【００８１】
方程式セット＃４は、本アプローチを用いて対処され得る、最大タイミング誤差に関する計算を提供する。
方程式セット＃４
【００８２】
【化１５】
2019504513.tif 000016
【００８３】
２つのＤＳ伝送を伴う方程式セット＃４の実施形態によると、ＤＳ伝送が測定ギャップ中に起こる最大許容可能時間不正確度は、「Ｔｇａｐ−Ｔ−０．５ミリ秒」である。他の実施形態では、より大きい偶数、例えば、４つ、６つ、８つ等のＤＳが、伝送されることができる。
【００８４】
測定ギャップがＤＳコピー間の中間を中心とするように標的とされる実施形態では、方程式セット＃４において説明されるものよりも大きいタイミング誤差が、対処されることができる。伝送されるＤＳコピーの数に応じた最大許容可能タイミング誤差に関する一般式が、方程式セット＃５において与えられる。
方程式セット＃５
【００８５】
【化１６】
2019504513.tif 000017
【００８６】
式中、
【００８７】
【化１７】
2019504513.tif 000018
【００８８】
である。最大許容可能タイミング誤差は、「ｋ」によって境界される。合計して、ＤＳの「２ｋ＋２」個の等距離伝送が、実行される。
【００８９】
付加的な実施形態は、ＤＳの区分毎受信を伴う。先の実施形態では、ＤＳ全体が、同一の測定ギャップ内に、ある順序において受信されることになっていた。いくつかの実施形態では、１つのＤＳは、その全体において受信される、すなわち、ＤＳは、順序に従わずに、またはより小さいＤＳ間の付加的な時間とともに受信される、より小さい部分にさらに分割されない。他の実施形態では、ＤＳは、順序に従わずに、および／またはそれらの間の付加的な時間とともに受信され得る、より小さい部分に分割されてもよい。別の実施形態では、ＤＳは、部分に分割され、全ての部分は、１つの測定ギャップ中に受信されることになるが、必ずしも、正しい順序においてではない。「正しい順序」という概念は、以下のように説明される。ＤＳがいくつかの部分、例えば、ＤＳ０＋ＤＳ１に分割される実施形態では、異なる部分が、異なる時刻において伝送される。「正しい順序」は、ＤＳ０がＤＳ１の前に伝送されるものである。ＵＥがＤＳ１の前にＤＳ０を受信する場合、受信は、「正しい順序」となるであろう。いくつかの測定ギャップ構成に関して、最初に、ＤＳ１が受信され、次いで、ＤＳ０がＤＳの遅着コピーから受信される場合もあり得、本実施例では、ディスカバリ信号は、正しい順序において受信されない。
【００９０】
図１３は、ＤＳの異なる部分が時間で分離され、および／または場合によっては重複し、および／または場合によっては相互に直接隣接しない、区分毎実施形態を例証する。本実施形態では、ＤＳの異なる部分は、６ミリ秒の測定ギャップ内に受信されるが、必ずしも、順序通りではない。図１３は、ＤＳの異なる部分、すなわち、ＤＳ０、ＤＳ１、およびＤＳ２を示し、上記に画定されるように、ＤＳ１およびＤＳ２は、隣接するが、ＤＳ０およびＤＳ１は、隣接しない。ＤＳ０、ＤＳ１、およびＤＳ２は、対応する持続時間Ｔ０、Ｔ１、およびＴ２を有する。本実施形態に関するディスカバリ信号の操作および測定ギャップの構成が、図１４に示される。
【００９１】
いくつかの実施形態では、ＤＳの部分のコピーが、繰り返し作成され、置かれる。これは、ある誤差境界内で、信号全体が１つの測定ギャップ内に受信され得ることを確実にする。ＤＳの部分は、本実施形態に従って、順序通りに受信されることを要求されない。
【００９２】
Ｔａ＋Δ２＋０．５ミリ秒が３ミリ秒よりも大きい実施形態が、Ｔａが図１３のように画定される図１４において例証される。図１４では、最初に、ＤＳ１が、受信され、次いで、ＤＳ２が、受信され、次いで、最後に、ＤＳ０が、受信される。これは、ディスカバリ信号が正しい順序において受信されない受信である。
【００９３】
Ｔｂ＋Δ２＋０．５ミリ秒が３ミリ秒よりも大きい場合に関する別の実施形態が、Ｔａが図１３のように画定される図１５において例証される。図１５は、Ｔｂ＞３ミリ秒−Δ２−０．５ミリ秒である、ＤＳの区分毎受信の実施形態を例証する。
【００９４】
図１４および１５に例証される実施例は、同一概念の実施例である。ＤＳが、ＤＳ０、ＤＳ１、およびＤＳ２と表される、いくつかの部分に分割される。完全なＤＳを受信するために、ＤＳの全ての部分が、受信される必要がある。したがって、ＵＥは、ＤＳ０、ＤＳ１、およびＤＳ２を受信する必要がある。しかしながら、本実施形態では、ＤＳ０がＤＳ１の前に受信されることは、要求されない、すなわち、ＤＳ０、ＤＳ１、およびＤＳ２がＵＥによって受信されるタイミング順序は、それらがセル（すなわち、ＬＰＮ）から伝送される順序と同一である必要はない。
【００９５】
図１４では、タイミング不確定性は、図１５におけるものよりも小さい。図１４では、完全なＤＳが、ＤＳ０、ＤＳ１、およびＤＳ２によって表される。測定ギャップがＤＳ０、ＤＳ１、およびＤＳ２をカバーすることは確実にされ得ないため、最後の部分（ＤＳ２）は、ＤＳの前に伝送され、最初の部分（ＤＳ０）は、ＤＳの後に伝送される。したがって、ＬＰＮによって伝送されるＤＳ部分は、ＤＳ２、ＤＳ０、ＤＳ１、ＤＳ２、ＤＳ０である。図１４は、ＤＳ１、ＤＳ２、および破線枠によって示されるＤＳ０が、測定ギャップとともに受信されることを示す。
【００９６】
図１５では、タイミング不確定性は、図１４において例証される実施形態においてよりも大きく、ＤＳの前にＤＳ２を、ＤＳの後にＤＳ０を伝送することのみによって、ＤＳがギャップ内に完全に受信されることは保証され得ない。本実施形態では、全ＤＳが受信されることを確実にするために、２つの部分が、前後に伝送される、すなわち、図１５に示されるように、ＤＳ１、ＤＳ２、ＤＳ０、ＤＳ１、ＤＳ２、ＤＳ０、ＤＳ１である必要がある。図１５は、ＤＳ２、破線枠によって示されるＤＳ０、および破線枠によって示されるＤＳ１が、測定ギャップとともに受信されることを示す。
【００９７】
またさらなる実施形態では、ＤＳの部分は、サービングセルによって提供される測定ギャップ中に伝送されるために、相互に隣接して伝送される必要はない。これは、Ｔａ＋Δ２＋０．５ミリ秒＞３ミリ秒である場合に関する図１６に例証される。図１６は、０．５ミリ秒＋Ｔａ＋Δ２＞３ミリ秒に関するＤＳの部分の隣接しない伝送を示す。類似する実施形態が、Ｔｂ＋Δ２＋０．５ミリ秒＞３ミリ秒である場合を伴う。ＴａおよびＴｂは、図１３に例証されるものである。
【００９８】
図１７に示されるもの等の他の実施形態では、相互に同期されない、複数のクラスタが存在する。サービングセルは、ＵＥにおける１つの測定ギャップ構成を設定する。したがって、サービングセルのカバーエリア内にいくつかのクラスタが存在し、これらのクラスタが相互に同期されないとき、本開示のある側面は、サービングセルが、どのクラスタがＵＥに最も近接するかを識別し得ると定める。次いで、サービングセルは、ＵＥにより近接すると識別されたクラスタのタイミングおよびＤＳ伝送スキームに従って、測定ギャップを構成することができる。一実施形態では、サービングセルは、ＵＥの場所推定を取得し、適宜、測定ギャップを構成するために、ＵＥ情報を使用する。一実施形態では、ＵＥ情報は、報告される物理セルＩＤ（ＰＣＩ）である。これは、ＵＥ情報およびタイミング情報に基づいて測定ギャップを構成するサービス提供を例証する、図１７に例証される。
【００９９】
図１７の実施形態に関する一手順は、以下となる。ＵＥ８５が、カバーエリア９０内のノードのクラスタ８１、８３内のノード７７、７９のＰＣＩを把握する。ＵＥ８５は、全てのクラスタタイミングを利用可能にし、図１７のステップ「１）タイミング情報」においてサービングセル７５にこれを提供する。ＵＥ８５は、サービングセル７５から受信した初期測定ギャップ構成を用いて、周波数間測定を実施する。ＵＥ８５は、従来のセル検索を実施し、ディスカバリ信号ＤＳとともに、信号経路８７に沿って送信される１つまたは複数のノード７７、７９のＰＳＳ／ＳＳＳを検出する。ＰＳＳ／ＳＳＳの伝送特性に起因して、そのようなセル検索は、任意の測定ギャップ構成を用いて可能である。ＵＥ８５は、１つまたはいくつかのノードのＰＣＩを検出する。ＵＥ８５は、図１７のステップ「２）ＰＣＩ報告」において示されるように、サービングセル７５に信号強度および対応するＰＣＩを報告する。サービングセル７５は、図１７のステップ「３）測定ギャップ構成」において、ＵＥ８５が、ＵＥ８５に近接したクラスタ８２、８３のクラスタから低電力ノード７７、７９の伝送されるＤＳを検出し得るように、測定ギャップを再構成する。
【０１００】
図１８は、本開示による、ある方法を示すフローチャートである。ステップ１０１において、ＬＰＮセルが、ディスカバリ信号ＤＳを伝送する。ＬＰＮセルは、ＨｅｔＮｅｔ通信システムにおけるマクロセルのカバーエリア内のクラスタ内に配列され得る。ステップ１０３において、サービングセルが、ＤＳのタイミングおよび伝送パターンを決定する。いくつかの実施形態では、ＵＥが、周波数間測定ギャップにおいて従来のセル検索を実施し、測定されたＬＰＮセルのＭＩＢおよびシステムフレーム番号ＳＦＮをデコードし、これをサービングセルに報告する。他の実施形態では、ＵＥは、他のタイミング情報をサービングセルに提供する。さらに他の実施形態では、サービングセルは、他の様式で、ＬＰＮセルと関連付けられるＤＳのタイミングおよび伝送パターンを決定する。ステップ１０５において、サービングセルは、ＤＳ伝送パターンをマッチさせるように測定ギャップを構成する。いくつかの実施形態では、サービングセルは、ＵＥが従来のセル検索を実施し、ＰＳＳ／ＳＳＳまたは他のタイミング情報を検出するために使用される、初期測定ギャップ構成を再構成する。いくつかの実施形態では、ＤＳは、測定ギャップのちょうど中心に置かれ、上記に説明されるような他の実施形態では、測定ギャップは、ディスカバリ信号の少なくとも一部を含むように構成される。測定ギャップは、粒度、タイミング不正確度、および本開示の種々の実施形態における上記に議論されるような他の側面を考慮する、サービングセルによって構成される。ステップ１０７において、ＵＥは、周波数間測定を実施し、ディスカバリ信号を検出し、ＵＥが、適宜、その挙動を調節し、ネットワーク内の適切なセル／ノードと通信し得るように、低電力ノードの存在を検出する。
【０１０１】
本開示の１つまたは複数の実施形態が上記に説明されたが、それらは、限定としてではなく、実施例としてのみ提示されていることを理解されたい。同様に、種々の図または略図は、本開示のための例示的アーキテクチャまたは他の構成を描写し得、これは、本開示に含まれ得る特徴および機能性を理解する際に補助するために行われる。本開示は、例証される例示的アーキテクチャまたは構成に限定されないが、種々の代替アーキテクチャおよび構成を使用して、実装されることができる。
【０１０２】
本文書に説明される機能のうちの１つまたは複数のものは、適切に構成されるモジュールによって実施されてもよい。本明細書で使用される用語「ｍｏｄｕｌｅ（モジュール）」は、本明細書に説明される関連付けられる機能を実施するためのハードウェア、ファームウェア、ソフトウェア、およびソフトウェアを実行する任意の関連付けられたハードウェア、ならびにこれらの要素の任意の組み合わせを指すことができる。加えて、種々のモジュールは、離散モジュールであり得る。しかしながら、当業者に明白であろうように、２つまたはそれを上回るモジュールが、本発明の種々の実施形態に従って、関連付けられる機能を実施する単一のモジュールを形成するように組み合わせられてもよい。
【０１０３】
加えて、本文書に説明される機能のうちの１つまたは複数のものは、概して、メモリ記憶デバイスまたは記憶ユニット等の媒体を指すために本明細書で使用される、「コンピュータプログラム製品」、「非一過性コンピュータ可読媒体」、および同等物内に記憶されるコンピュータプログラムコードを用いて実施されてもよい。コンピュータ可読媒体のこれらおよび他の形態は、プロセッサに規定の動作を実施させるために、プロセッサによる使用のための１つまたは複数の命令を記憶することに関与してもよい。そのような命令は、概して、実行されると、コンピューティングシステムが所望の動作を実施することを可能にする、「コンピュータプログラムコード」（コンピュータプログラムまたは他のグループ化の形態でグループ化され得る）と称される。
【０１０４】
明確性の目的のために、上記の説明は、異なる機能性ユニットおよびプロセッサを使用して実装され得る、本発明の実施形態を説明していることを理解されたい。しかしながら、異なる機能性ユニット、プロセッサ、または領域の間での機能性の任意の好適な分配は、本発明から逸脱することなく、使用され得ることが明白となるであろう。例えば、別個のユニット、プロセッサ、またはコントローラによって実施されるように例証される機能性は、同一のユニット、プロセッサ、またはコントローラによって実施されてもよい。したがって、具体的な機能性ユニットの言及は、厳密な論理的または物理的な構造もしくは編成を示すのではなく、説明される機能性を提供するための好適な手段の言及のみと見なされる。
【０１０５】
前述は、本開示の原理を単に例証する。したがって、当業者は、本明細書に明示的に説明されない、または示されないが、本発明の原理を具現化し、その精神および範囲内に含まれる、種々の配列を考案することが可能であるであろうことを理解されたい。さらに、本明細書に引用された全ての実施例および条件付きの用語が、主に、教育的な目的のみのため、および発明者によって寄与される本開示の原理および概念を理解し、当該技術を進展させる際に、読者を補助するためであることが明示的に意図され、そのような具体的に引用された実施例および条件に限定されないように解釈される。さらに、本開示の原理、側面、および実施形態を引用する本明細書における全ての主張ならびにそれらの具体的な実施例が、それらの構造的および機能的均等物の両方を包含するように意図される。加えて、そのような均等物は、現在公知の均等物と将来開発される均等物との両方、すなわち、構造にかかわらず同一機能を実施するように開発される任意の要素を含むことが意図される。
【０１０６】
例示的実施形態のこの説明は、記載された説明全体の一部と見なされる、付随の図面の図と併せて読まれることが意図される。説明では、「ｌｏｗｅｒ（下側）」、「ｕｐｐｅｒ（上側）」、「ｈｏｒｉｚｏｎｔａｌ（水平な）」、「ｖｅｒｔｉｃａｌ（垂直な）」、「ａｂｏｖｅ（上方）」、「ｂｅｌｏｗ（下方）」、「ｕｐ（上昇）」、「ｄｏｗｎ（下降）」、「ｔｏｐ（上面）」、および「ｂｏｔｔｏｍ（底面）」ならびにそれらの派生語（例えば、「ｈｏｒｉｚｏｎｔａｌｌｙ（水平に）」、「ｄｏｗｎｗａｒｄｌｙ（下方に）」、「ｕｐｗａｒｄｌｙ（上方に）」等）等の相対的用語は、そこで議論中の図面中に説明される、または示されるような配向を指すように解釈されるべきである。これらの相対的用語は、説明の便宜上のためのものであって、装置が特定の配向において構築される、または動作させることを要求しない。「ｃｏｎｎｅｃｔｅｄ（接続される）」、および「ｉｎｔｅｒｃｏｎｎｅｃｔｅｄ（相互接続される）」等の、取着、結合、および同等物に関する用語は、別様に明示的に説明されない限り、構造が、介在構造を通して、直接または間接的のいずれかにおいて、相互に固着または取着される関係、ならびに移動可能または剛性の取着もしくは関係の両方を指す。
【０１０７】
本開示は、実施形態の観点から説明されたが、それに限定されない。むしろ、添付される請求項は、同等物の範囲と同等の範囲から逸脱せずに、当業者によって成され得る、他の変形および実施形態を含むように、広義に解釈されるべきである。
【図１】
2019504513.tif 000021
【図２】
2019504513.tif 000022
【図３】
2019504513.tif 000023
【図４】
2019504513.tif 000024
【図５】
2019504513.tif 000025
【図６】
2019504513.tif 000026
【図７】
2019504513.tif 000027
【図８】
2019504513.tif 000028
【図９】
2019504513.tif 000029
【図１０】
2019504513.tif 000030
【図１１】
2019504513.tif 000031
【図１２】
2019504513.tif 000032
【図１３】
2019504513.tif 000033
【図１４】
2019504513.tif 000034
【図１５】
2019504513.tif 000035
【図１６】
2019504513.tif 000036
【図１７】
2019504513.tif 000037
【図１８】
2019504513.tif 000038
【国際調査報告】
2019504513.tif 000039
2019504513.tif 000040